(57)【要約】ウェブデザイン変更装置は、ユーザー端末機を利用したウェブ会員ユーザーのログイン時に当該ウェブ画面を各会員ユーザー端末機にディスプレイさせ、ウェブ画面内に具現されるメニューの位置、色相、及びパターンに対しユーザーによって制御される場合、該制御されたメニューの位置、色相、及びパターンに連携された該当のウェブメニュー画面を活性化させてユーザー端末機にディスプレイさせるウェブサーバを含む。
2009529725.tif 000002
【特許請求の範囲】
【請求項１】
ウェブデザイン変更装置であって、
ユーザー端末機を利用したウェブ会員ユーザーのログイン時に当該ウェブ画面を各会員ユーザー端末機にディスプレイさせ、ウェブ画面内に具現されるメニューの位置、色相、及びパターンに対しユーザーによって制御された場合、該制御されたメニューの位置、色相、及びパターンに連携された当該ウェブメニュー画面を活性化させてユーザー端末機にディスプレイさせるウェブサーバ３２０、及び、
前記ウェブサーバに接続され、前記ウェブサービスによるユーザーＤＢ、ユーザーデザインＤＢ及びＣＳＳ(Cascade Style Sheet)ＤＢを含んでいるデータベースサーバ３５０を含み、
前記ウェブサーバ３２０は、前記データベースサーバ３５０から受け付けたＣＳＳ情報とＨＴＭＬコードとを結合して前記ユーザー端末機１００に出力し、前記ユーザー端末機で修正されたＣＳＳ情報を前記データベースサーバ３５０に格納することを特徴とするウェブデザイン変更装置。
【請求項２】
ユーザーの制御によってウェブサービス提供サーバに接続して、ウェブ管理者のページにおいてマウスのクリックまたはドラッグ＆ドロップを使ってメニューの位置、色相、及びパターンに対しウェブで表現可能なすべての変更値を制御するようにすることを特徴とする請求項１に記載のウェブデザイン変更装置。
【請求項３】
前記ユーザーＤＢは、ユーザーの当該ウェブサイト名、当該ウェブサイトのサイトアドレス、ユーザー端末機の固有番号、プロフィール情報、コメント情報、記事、友達リスト、及び接続者の統計の少なくとも一つを含むことを特徴とする請求項１に記載のウェブデザイン変更装置。
【請求項４】
前記ユーザーデザインＤＢは、ユーザー端末機を介して制御される背景（イメージ、色相、パターン、位置）アイコン（記事リスト、分類フォルダ（カテゴリー）リスト、最近の訪問者、友達リスト、プロフィール、カレンダー（日別、月別））、本文（本文種類、背景色、フォントの色、本文ライン、本文位置）、及びアクセサリーの少なくとも一つを含むことを特徴とする請求項１に記載のウェブデザイン変更装置。
【請求項５】
前記ウェブサーバ３２０は、
ユーザー端末機からウェブの位置変換値が入力される入力部３２２と、
前記入力部を介して入力されたユーザーの要請値の格納と要請値に当たるアイテムと連携された当該ウェブまたはブログコンテンツが格納される格納部３２３と、
前記格納部に格納されたウェブコンテンツ情報を出力する出力部３２４、及び、
前記各部を制御し前記ユーザー端末機へ当該情報を出力してユーザーの制御によりウェブデザインの変更が行なわれるようにする制御部３２１と、
を含むことを特徴とする請求項１に記載のウェブデザイン変更装置。
【請求項６】
前記ＣＳＳ ＤＢには各ユーザー毎のＣＳＳ情報が格納されており、自分のウェブデザインの形態に予め格納されているウェブデザインの形態を適用可能にすることを特徴とする請求項１に記載のウェブデザイン変更装置。
【請求項７】
ウェブデザイン変更方法において、
（ａ）ウェブデザインの属性を示すカスケードスタイルシート情報をデータベースサーバから取り込む段階と、
（ｂ）前記カスケードスタイルシート情報とＨＴＭＬコードとを結合してウェブ管理者の画面上に出力する段階と、
（ｃ）ユーザーの制御により管理者画面上で前記カスケードスタイルシート情報を変更する段階、及び、
（ｄ）変更されたスタイルシート情報をデータベースサーバに格納する段階と、
を含むことを特徴とするウェブデザイン変更方法。
【請求項８】
前記ウェブデザイン変更装置は、個人ブログのデザインを変更するのに適用されることを特徴とする請求項１〜６の何れかに記載のウェブデザイン変更装置。
【請求項９】
前記ウェブデザイン変更方法は、個人のブログデザインを変更するのに適用されることを特徴とする請求項７に記載のウェブデザイン変更方法。
【請求項１０】
前記（ｃ）段階の後に変更されたカスケードスタイルシート情報結果を画面上で確認可能にして、出力された結果に応じて前記カスケードスタイルシート情報を変更するか否かを判断する段階をさらに含むことを特徴とする請求項７に記載のウェブデザイン変更方法。
【請求項１１】
ユーザーの制御によりウェブサービス提供サーバに接続して、ウェブ管理者のページにおいてマウスのクリックまたはドラッグ＆ドロップを使ってメニューの位置、色相、及びパターンに対しウェブで表現可能なすべての変更値を制御するようにすることを特徴とする請求項７に記載のウェブデザイン変更方法。
【請求項１２】
前記データベースサーバには各ユーザー毎のＣＳＳ情報が格納されており、自分のウェブデザインの形態に予め格納されているウェブデザインの形態を適用可能にすることを特徴とする請求項７に記載のウェブデザイン変更方法。
【発明の詳細な説明】
【技術分野】
【０００１】
本発明は、ウェブデザイン変更装置及び方法に係り、より詳しくは、ウェブ会員ユーザーが、管理者のページにおいてマウスのクリック或いはドラッグ＆ドロップを使ってメニューの位置、色相、パターンに対するウェブで表現可能なすべての変更値を容易にコントロールして、当該ユーザーが所望の形態のウェブを作ることができるようにするウェブデザイン変更方法及び装置に関する。
【背景技術】
【０００２】
一般に、ウェブページは多くのユーザーらが使うにもかかわらず、ウェブサイトのデザインが独創的でないだけでなく、その大半は、ユーザーの関心事項、選好事項、優先事項に応じてディスプレイすることが困難である場合が多い。
【０００３】
その中でも、上記ウェブページの一つとしてユーザーらが多く使っているブログについて見てみると、ブログ（Blog）は、インターネットを意味するウェブ（Ｗｅｂ）と航海日誌を意味するログ（Logs）とが組み合わされてなる新造語であって、インターネット日記またはインターネット航海日誌という意味である。
【０００４】
上記ブログは、従来、インターネット掲示板の短所である匿名性、一方性、コンテンツ掲示率の低下等の問題を解決するために登場したサービスであって、単純なテキストまたはグラフィック方式を用いてネットワーク上に自分独自の領域を割り当てられる一種の一人メディアを意味する。
【０００５】
したがって、現在のブログは、各個人の多様な情報を載せるという側面からみて、その各個人を満足させることができる様々なデザインのブログが求められている。
【０００６】
そこで、実際にデザインが強調されたブログシステムが多く登場しており、上記ブログシステムは、大きく二つのパターンに分けることができる。
【０００７】
第一は、テンプレート形態のブログとして何回かのクリックで既存に作られているテンプレートをそのまま使用する方式があり、第二は、ユーザー設定型方式であって、様々な設定値の入力を受ける或いはユーザーに対しＨＴＭＬコーディングを直接入力させることで自分が希望するブログを作らせる方式がある。
【０００８】
大半は上記二つの方式を適宜組み合わせて使用しており、それに加えてユーザーに対し基本テンプレートと幾つかの設定オプションにて若干の多様性を追求できるようにして実現されている。
【０００９】
しかしながら、実際にユーザーらは、ブログの基本的な形式は保持しつつより多様なデザインや設定ができることを希望している。
【００１０】
したがって、上記二つの方式の限界を克服することができると共に多様性を満足させるために作られ、それぞれの実際と同じパターンのメニューの位置、色相、パターンに対するウェブで表現可能なすべての変更値を容易にコントロールして、ブログ会員ユーザーが所望の形態のブログを作る方法が求められている。
【００１１】
また、従来のブログは、ＨＴＭＬを利用したハイパーテキスト（Hypertext）をマークアップ（Markup）して構造化させるための言語を利用していたため、各部分毎に一々フォントの種類、フォントのサイズ、色相を指定するには非常に手間が掛かり、ウェブページのレイヤーを生成したり、所望のデザインで文書を作成したりするには多くの限界があった。
【発明の開示】
【発明が解決しようとする課題】
【００１２】
そこで、本発明は、上記のような問題点を解決するためになされたものであって、その目的は、ウェブ会員ユーザーが自分のウェブサイトまたはブログに多様性を追求すべくデザインの設定やメニューの設定を選択的に行うことで所望の形態のウェブサイトまたはブログを作るウェブデザイン変更装置及び方法を提供することである。
【００１３】
また、本発明の他の目的は、メニューオブジェクトの属性値をカスケードスタイルシート（ＣＳＳ）形態で格納させることで固定されたＨＴＭＬを自由に且つ柔軟に作ることができるようにし、また、スタイルシートを別途に分離することで文書のサイズを低減するとともに性能の向上を図ることができるようにするウェブデザイン変更装置及び方法を提供することである。
【課題を解決するための手段】
【００１４】
上記のような目的を達成するために、本発明によるウェブデザイン変更システムは、情報通信網２００を介してウェブサービス提供サーバに接続可能であり、上記ウェブサービス提供サーバから提供する情報データの送受信が可能なユーザー端末機１００と、上記ユーザー端末機を利用したウェブ会員ユーザーのログイン時に当該ウェブ画面を各会員ユーザー端末機にディスプレイさせ、ウェブ画面内に具現されるメニューの位置、色相、及びパターンに対しユーザーによって制御された場合、該制御されたメニューの位置、色相、及びパターンに連携された当該ウェブメニュー画面を活性化させてユーザー端末機にディスプレイさせるウェブサーバ３２０、及び前記ウェブサーバに接続され、前記ウェブサービスによるユーザーＤＢ及びユーザーデザインＤＢを格納しているデータベースサーバ３５０とを含み、前記ウェブサーバ３２０は、前記データベースサーバ３５０から受け付けたＣＳＳ情報とＨＴＭＬコードとを結合して前記ユーザー端末機１００に出力し、前記ユーザー端末機で修正されたＣＳＳ情報を前記データベースサーバ３５０に格納することを特徴とする。
【００１５】
また、本発明によるウェブデザイン変更方法は、（ａ）制御部がユーザー本人のウェブページを画面に出力するためにユーザーＤＢ及びユーザーデザインＤＢをデータベースに構成する段階（Ｓ１０）と、（ｂ）上記制御部がウェブデザインの属性を示すカスケードスタイルシート情報をデータベースサーバから取り込む段階（Ｓ２０）と、（ｃ）上記制御部が前記カスケードスタイルシート情報とＨＴＭＬコードとを結合してウェブ管理者の画面上に出力する段階（Ｓ３０）と、（ｄ）上記制御部が管理者画面上で上記カスケードスタイルシート情報を変更する段階（Ｓ４０）と、（ｅ）上記制御部が変更されたカスケードスタイルシート情報結果を画面上で確認可能にして、出力された結果に応じて前記カスケードスタイルシート情報を変更するか否かを判断する段階（Ｓ６０）、及び（ｆ）上記制御部が上記変更されたスタイルシート情報をデータベースサーバに格納する段階（Ｓ７０）とを含む。
【発明の効果】
【００１６】
上記のような本発明は、既存のウェブの単調さと停滞性を克服し独創的で且つ差別化されたウェブデザインサービスを実施することにより、ウェブ自体の競争力を増進させることができる効果を奏する。また、本発明は、メニューオブジェクトの属性値をカスケードスタイルシートの形態で格納させることで固定されたＨＴＭＬを自由に且つ柔軟に作ることができるようにし、また、スタイルシートを別途に分離することで文書のサイズを低減するとともにウェブの運用による性能の向上が図られるという効果を奏する。
【発明を実施するための最良の形態】
【００１７】
以下、添付した図面を参照して、本発明によるウェブデザイン変更システム及び方法に係る好適な複数の実施形態のうち、最も好適な実施形態について詳しく説明する。
【００１８】
図１は、本発明によるウェブデザイン変更システムを示す図である。上記図１に示されたように、上記ウェブデザイン変更システムは、情報通信網２００を介して上記ウェブサービス提供サーバに接続可能であり、上記ウェブサービス提供サーバから提供する多様なコンテンツに関する情報データの送受信が可能なユーザー端末機１００と、ウェブまたはブログコンテンツ情報を管理するウェブサーバ３２０と上記ウェブサーバに接続されて上記ウェブサービスを提供するためのウェブの運用によるデータを格納しているデータベースサーバ３５０とから構成されたウェブサービス提供サーバ３００を含む。
【００１９】
ユーザー端末機１００は、情報通信網を介してウェブサービス提供サーバ３００に接続可能であり、ウェブサービス提供サーバから提供する多様なコンテンツに関する情報データの送受信が可能な端末装置であって、ユーザー端末機を使用する会員ユーザーは、かかる端末機を利用してウェブサービス提供サーバに接続した後、当該ウェブから提供する各種コンテンツ情報を利用することができる。
【００２０】
上記ユーザー端末機１００は、ユーザーの制御によってウェブ管理者のページにおいてマウスのクリックまたはドラッグ＆ドロップのみを用いてメニューの位置、色相、及びパターンに対しウェブで表現可能なすべての変更値を制御できるようにする。
また、上記ユーザー端末機１００は、ＨＴＭＬ、ＸＭＬ、ＣＳＳなどの形態でウェブ内容をディスプレイできるインターネットブラウザー（Ｎｅｔｓｃａｐｅ、Ｉｎｔｅｒｎｅｔ Ｅｘｐｌｏｒｅｒなど）を有している。
【００２１】
情報通信網２００は、専用線、ＬＡＮ、ＱＡＮ、ＶＡＮ、イントラネット、私設電話網、公衆電話網、ＰＳＴＮ網、及びこれらが相互組み合わされてなるものであって、図１に示された各ネットワーク構成の主体が互いに円滑に通信できるようにする包括的な意味のデータ通信網であり、有線インターネット、無線インターネット及びモバイル無線通信網を含む概念である。
【００２２】
上記情報通信網２００に係る技術的構成は、本発明の属した技術分野における通常の知識を有する者に知られたものであるので、その詳細は省くことにする。
【００２３】
ウェブサービス提供サーバ３００は、ブログまたはウェブコンテンツ情報を管理するウェブサーバ３２０と上記ウェブサーバに接続されて上記ウェブサービスを提供するためのウェブの運用によるデータを格納しているデータベースサーバ３５０とから構成される。
【００２４】
上記ウェブサーバ３２０は、上記ユーザー端末機を利用した会員ユーザーのログイン時に当該ブログまたはウェブ画面を各会員ユーザー端末機にディスプレイさせ、上記ウェブ画面内に実現されるメニューの位置、色相、パターンに対しユーザーによって制御される場合に、該制御されたメニューの位置、色相、及びパターンに連携された当該ウェブまたはブログコンテンツメニュー画面を活性化させてユーザー端末機にディスプレイさせる。
【００２５】
データベースサーバ３５０は、上記ウェブサーバに接続されて上記ウェブサービスを提供するためのウェブの運用によるユーザーＤＢ、ユーザーデザインＤＢ、ＣＳＳ ＤＢを含む。
【００２６】
上記データベースサーバ３５０に関する詳細は、後述する図２において詳しく説明することにする。
【００２７】
ウェブサービス提供サーバ３００は、メニューの編集にウィジウィグという概念を取り入れて容易に管理者領域においてウェブのデザインを修正し、それと同時に見られるデザインを同様に適用できるように構成されている。
【００２８】
ここで、ウィジウィグ（ＷＹＳＩＷＹＧ：What You See IS What You Got）は、画面上に表示される文書の文字、写真、図表などをそのままプリントアウトすること、つまり、表示画面に見られる視覚的イメージがそのままプリントアウトされる機能のことをいい、アイコンなどの組み合わせによる視覚的な操作環境、ワールドワイドウェブブラウザーによるプリントアウト環境に使用される。
【００２９】
上記ウェブサービス提供サーバ３００は、ウェブの記事リスト、記事本文内容、仕分けフォルダ（カテゴリー）リスト、最近の訪問者、友達リスト、プロフィール、カレンダー（日別、月別）などと様々な形態で格納されており、上記ら構成要素の組み合わせによって一つのウェブまたはブログが完成されるようになる。
【００３０】
また、上記ウェブサービス提供サーバ３００は、それらメニューに付与することができるすべての種類の属性値をＣＳＳの一つの方式に統一して管理できるように実現されているため、ウェブメニューのフレーム形態を変更することもでき、ユーザーの必要に応じて一部メニューを挿入／削除可能にし、メニューのサイズや色相を変更することができる。
【００３１】
図２は本発明によるウェブデザインサービス提供システムの内部構成を示す図である。上記図２に示されたように、上記ウェブサービス提供サーバ３００は、インターフェース部３１０と、ウェブサーバ３２０、及びデータベースサーバ３５０を含む。
【００３２】
上記インターフェース部３１０は、ユーザー端末機１００から情報データを受信するために設けられている。
【００３３】
上記ウェブサーバ３２０は、ウェブ画面内に実現されるウェブまたはブログの背景イメージ、アイコンの種類、本文、フォントの種類がユーザーによって選択されるアイテムと連携された当該ウェブまたはブログコンテンツメニュー画面を活性化させる。
【００３４】
上記ウェブサーバ３２０の構成要素としては、ユーザー端末機からウェブの位置変換値が入力される入力部３２２と、上記入力部を介して入力されたユーザーの要請値に当たるアイテムと連携された当該ウェブまたはブログコンテンツが格納されている格納部３２３と、上記格納部に格納されたウェブまたはブログコンテンツ情報を出力する出力部３２４、及び上記各部を制御する制御部３２１とから構成されている。
【００３５】
入力部３２２は、上記ユーザー端末機１００から入力されたデータ情報をインターフェース部３１０を介して入力される。
【００３６】
格納部３２３は、上記入力部を介して入力されたユーザーの要請値の格納と該要請値に当たるアイテムと連携された当該ウェブまたはブログコンテンツが格納される。
【００３７】
出力部３２４は、ユーザーがウェブの内部構成を制御した結果を出力する機能を果たす。
【００３８】
制御部３２１は、上記各部を制御してユーザーが所望するウェブのデザイン形態を作成する。
【００３９】
データベースサーバ３５０は、ユーザーＤＢ３５１と、ユーザーデザインＤＢ３５２、及びＣＳＳ ＤＢ３５３とを含む。
【００４０】
上記ユーザーＤＢ３５１は、上記ユーザーの当該ウェブまたはブログ名、当該ウェブのサイトアドレス、ユーザー端末機の固有番号、プロフィール情報、コメント情報、記事、友達リスト、接続者の統計などのアイコン情報を含む。
【００４１】
ユーザーデザインＤＢ３５２には、ユーザーがユーザー端末機を介して背景（イメージ、色相、パターン、位置）、アイコンの種類（記事リスト、仕分けフォルダ（カテゴリー）リスト、最近の訪問者、友達リスト、プロフィール、カレンダー）、本文（本文の種類、背景色、フォント色、本文ライン、本文の位置）及びアクセサリーの情報、及びそれが該当する位置などが格納されている。
【００４２】
また、上記ユーザーデザインＤＢ３５２は、背景イメージ部と、アイコン種類部と、本文種類部と、色相処理部と、フォント処理部、及びインテリアー処理部とを含む。
【００４３】
上記背景イメージ部は、ウェブ会員ユーザーから自分が登録されたウェブまたはブログに限って入力された制御信号によってウェブページの背景とそれによるイメージを格納している。
【００４４】
アイコン種類部は、ウェブ会員ユーザーが所望する様々なアイコン情報を格納している。例えば、上記アイコン種類部には、記事リスト、仕分けフォルダ（カテゴリー）リスト、最近の訪問者、友達リスト、プロフィール、カレンダー（日別、月別）などと様々な形態で格納されている。
【００４５】
本文種類部は、各アイコン情報による本文種類を格納している。即ち、上記本文種類部は、インラインフレーム型（iframe）及び通常のフレーム型の形式を格納しており、上記インラインフレーム型の場合、インサートフレーム（InSert Frame）であって、既存のページの適当な位置にページ全体をフレームに分けるか、またはページの構成が困難であるときはレイアウトを用いてページを動かすことなく当該情報を挿入し、通常のフレーム型の場合、フレームを分けないで本文を作成する。
【００４６】
色相処理部は、上記各アイコンの種類及び各ウェブに関する色相情報を格納している。フォント処理部は、上記アイコンの種類及び本文の内容を表示することによる様々なフォントを格納している。
【００４７】
インテリアー処理部は、上記各アイコンの配置情報を格納している。上記ＣＳＳ ＤＢ３５３には、カスケードスタイルシートであって、上記ウェブまたはブログの色相、サイズなどの様々な属性を設定するためにＣＳＳ形態で格納されている。
【００４８】
上記ＣＳＳ ＤＢ３５３には、各ユーザー毎のＣＳＳ情報が格納され、自分のウェブデザインに他人のウェブデザインを適用できるようにしてユーザーブログデザインを相互交換できるようにすることでユーザーに多様なデザインを提供できるようにする。
【００４９】
また、上記ＣＳＳ ＤＢ３５３には、ＤＢ接続負荷を軽減するためにＤＢに格納されると同時にユーザーＳＫＩＮファイル（ｔｘｔファイル）が生成され格納されている。このとき、上記生成され格納されたＳＫＩＮファイルは、ＣＳＳ ＤＢに格納されているＣＳＳ情報とＨＴＭＬページ情報に結合された形態でユーザーのウェブまたはブログデザインを示す。
【００５０】
図３は、本発明によるウェブデザイン変更方法を示すフローチャートである。上記図３に示されたように、本発明によるウェブデザイン変更方法は、先ず、制御部がユーザー本人のウェブサイト画面を出力するために構成されるユーザーＤＢ及びユーザーデザインＤＢをデータベースサーバに格納する。（Ｓ１０）
【００５１】
上記Ｓ１０段階では、ユーザーがユーザー端末機を介してウェブサービス提供サーバに接続してウェブまたはブログ名、プロフィール情報、アイコン情報、コメント情報、記事、友達リストなどを格納する。
【００５２】
次いで、ウェブサービス提供サーバの制御部は、ウェブまたはブログデザインの属性を示すカスケードスタイルシート情報をデータベースサーバから取り込む段階を行なう。（Ｓ２０）上記Ｓ２０段階では、ユーザー端末機を介してユーザーが変更または修正しようとする自分のウェブまたはブログを選択し、それにあたるウェブデザインの属性を示すカスケードスタイルシート情報をデータベースサーバから取り込む。
【００５３】
このとき、上記カスケードスタイルシートは、固定されたＨＴＭＬを自由に且つ柔軟にするスタイルシートであって、ＨＴＭＬ文書をコーディングしつつ各部分毎に一々フォントの種類、サイズ、色相を指定するには手間が掛かるため、カスケードスタイルシートを別途に分離して文書のサイズを低減するとともに性能の向上をもたらす。
【００５４】
次いで、上記制御部は、上記カスケードスタイルシート情報とＨＴＭＬコードとを結合して上記ウェブ管理者画面上に出力する段階を行なう。（Ｓ３０）上記Ｓ３０段階では、ユーザー端末機から入力された信号によってデータベースサーバに格納されている上記ＣＳＳ ＤＢ、ユーザーＤＢ、及びユーザーデザインＤＢを組み合わせ、それをユーザー端末機に出力する。
【００５５】
次いで、上記制御部は、管理者画面上で上記カスケードスタイルシート情報を変更するメニューを制御する段階を行なう。（Ｓ４０）上記Ｓ４０段階は、ユーザーの意図に応じてメニューを制御する方法としての、背景の変更、アイコン種類の変更、本文の変更、アクセサリーなどの位置を変更する方法であって、図５において詳しく説明することにする。
【００５６】
次いで、上記制御部は、変更されたカスケードスタイルシート情報結果を画面上で即時に、確認可能にする段階を行なう。（Ｓ５０）
【００５７】
次いで、上記制御部は、上記カスケードスタイルシート情報の結果に応じてスタイルシート情報を新たに変更するか否かを判断する段階を行なう。（Ｓ６０）
【００５８】
このとき、上記制御部は、上記ユーザー端末機から変更信号を入力されると上記Ｓ２０段階を行い、変更されたスタイルシート情報を使用する場合には、Ｓ７０段階を行なう。次いで、上記制御部は、上記変更されたスタイルシート情報をデータベースサーバに格納する段階を行なう。（Ｓ７０）
【００５９】
上記Ｓ７０段階は、ユーザーの端末機に出力された画面を介してユーザー端末機から制御信号を入力され、データベースサーバに格納する段階であって、背景（イメージ、色相、パターン、位置）、アイコン（記事リスト、仕分けフォルダ（カテゴリー）リスト、最近の訪問者、友達リスト、プロフィール、カレンダー（日別、月別））、本文（本文の種類、背景色、フォント色、本文ラインの本文位置）とアクセサリーの位置を当該ＣＳＳ形態で上記データベースサーバに格納する。
【００６０】
図４は、上記図３のウェブデザイン変更方法のフローチャートに従うウェブメニュー及び色相の変更前後を示す図である。上記図４に示されたように、ユーザーがマウスのドラッグ＆ドロップを使ってユーザー端末機を制御すると、ユーザー端末機の出力画面に（ａ）状態で存在していたウェブのプロフィールメニュー窓がユーザーの制御によって（ｂ）の位置に変更され、ユーザーが所望するデザイン編集を可能にする。
【００６１】
このとき、ウェブサービス提供サーバは、ユーザー端末機から入力された制御値によって（ａ）画面から（ｂ）画面に変更されると、ＣＳＳ形態の情報を出力してユーザーの端末機によって制御されたメニューの位置及び色相のデータ情報によって当該ＣＳＳ属性が変更され、該変更されたＣＳＳ属性をデータベースサーバに格納してユーザーが所望する形態としての（ｂ）のような形態がユーザー端末機に出力される。
【００６２】
図５は、本発明によるウェブデザインのメニュー制御方法を示す上記図３のサブルーチンである。上記図５に示されたように、ウェブサービス提供サーバのメニュー制御方法は、制御部がユーザー端末機から背景の変更を制御するようにする信号を入力される段階を行なう。（Ｓ５１）
【００６３】
上記背景変更の制御段階Ｓ５１では、背景イメージ部に格納されているデータによって背景イメージのアップロード、背景色の変更、背景パターンまたは背景の位置を変更する。
【００６４】
次いで、上記制御部は、変更された背景画面を基にアイコン種類の変更段階を行なう。（Ｓ５２）上記アイコン種類の変更段階（Ｓ５２）では、メニューの追加／削除によってウェブで支援するすべての色相にて背景色、ラインスタイル、太さの調整可能、フォント色、アイコンの全体的な図形及び位置の移動を変更する。
【００６５】
次いで、上記制御部は、変更されたメニュー設定に応じて本文を変更する段階を行なう。（Ｓ５３）上記本文変更段階（Ｓ５３）では、ユーザー端末機から入力された制御信号によってインラインフレーム型を選択したか通常のフレーム型を選択したかを判断し、上記インラインフレームの選択信号が入力された場合、つまり、インサートフレームを選択した場合であって、既存のページの適当な位置にページ全体をフレームにて分けるか、またはページ構成が困難であるときにはレイアウトを用いてページを動かすことなく当該情報を挿入する。
【００６６】
即ち、上記インラインフレームは、メーンページの公知事項または随時にアップデートされることをお知らせするか、基本コンセプトを壊さないで適当なサイズのインラインフレームを挿入し、通常のフレーム型の場合、フレームを分けないで本文を作成する。
【００６７】
次いで、上記制御部は、当該ウェブのアクセサリー変更段階を行なう。（Ｓ５４）上記アクセサリー変更段階（Ｓ５４）では、ユーザーが所望するアクセサリーをドラッグ＆ドロップでＣＳＳ情報を変更し容易に修正することができる。
【００６８】
上記のような段階を行なうことにより、ユーザー端末機がウェブサービス提供サーバに接続してＣＳＳ情報を利用してユーザーのウェブまたはブログをユーザーの趣向に応じてメニューの位置を変更し、メニューのパターンを変更し、フォント及びメニューの色相を変更できるようにする。
【００６９】
以上で説明されたウェブ提供サービスシステムは、ウェブのデザイン変更方法だけに限定されたものではなく、ブログのデザインの変更でも同一の方法が適用され得る。
【００７０】
以上で本発明によるウェブデザイン変更システム及び方法について説明した。このような本発明の技術的構成は、本発明の属する技術分野における通常の知識を有する者が本発明のその技術的思想や必須特徴を変更することなく他の具体的な形態で実施可能であることが理解できるであろう。
【００７１】
ゆえに、以上で記述した実施形態は、あらゆる面で例示的なものであって、本願発明を限定するためのものでないと理解されなければならず、本発明の範囲は、前述した詳細な説明よりは特許請求の範囲によって決められるべきであり、特許請求の範囲の意味及び範囲、並びに等価概念から導き出されるすべての変更または変形された形態が本発明の範囲に含まれるものと解釈されなければならない。
【図面の簡単な説明】
【００７２】
【図１】本発明によるウェブデザイン変更システムを示す図である。
【図２】本発明によるウェブサービス提供システムの内部構成を示す図である。
【図３】本発明によるウェブデザイン変更方法を示すフローチャートである。
【図４】上記図３のウェブデザイン変更方法のフローチャートに従うウェブメニューの位置及び色相の変更前後を示す図である。
【図５】本発明によるウェブデザインのメニューの制御方法を示す上記図３のサブルーチンを示す図である。
【符号の説明】
【００７３】
１００：ユーザー端末機
３１０：インターフェース部
３２０：ウェブサーバ
３２１：制御部
３２２：入力部
３２３：格納部
３２４：出力部
３５０：データベースサーバ
３５１：ユーザーＤＢ
３５２：ユーザーデザインＤＢ
３５３：ＣＳＳ  ＤＢ
【図１】
2009529725.tif 000003
【図２】
2009529725.tif 000004
【図３】
2009529725.tif 000005
【図４】
2009529725.tif 000006
【図５】
2009529725.tif 000007
【国際調査報告】
2009529725.tif 000008
2009529725.tif 000009